(57)【要約】第１のループと、第２のループとを有する、治療用身体ストラップ。各ループは、材料のストリップでできている。中央ストリップは、第１および第２のループが、固定具点で中央ストリップに接続されるように、固定具点を有する。ストラップはさらに、静止物体上の取設点への取設のために、中央ストリップから延伸する取設部分を含む。第１および第２のループは、取設部分において張力を生じさせることによって、ユーザが伸張することを可能にするように、ユーザの身体部分をぴったりと包囲するように構成される。
2012525938.tif 000002
【特許請求の範囲】
【請求項１】
身体ストラップであって、
各ループが材料のストリップでできている、第１のループおよび第２のループと、
固定具点を有する中央ストリップであって、該第１および第２のループは、該固定具点で該中央ストリップに接続される、中央ストリップと、
静止物体上の取設点への取設のために、該中央ストリップから延伸する、取設部分と
を備え、該第１および第２のループは、該取設部分において張力を生じさせることによって、ユーザが伸張することを可能にするように、該ユーザの身体部分をぴったりと包囲するように構成される、身体ストラップ。
【請求項２】
前記第１および第２のループは各々、前記それぞれの第１および第２のループを形成するように、接続デバイスによって接続可能な第１および第２のループ長を含む、請求項１に記載の身体ストラップ。
【請求項３】
前記接続デバイスは、バックル、スナップ、およびクリップを含む、請求項２に記載の身体ストラップ。
【請求項４】
前記第１および第２のループは、前記身体部分上で前記張力を変化させるように、長さ調整器を含む、請求項１に記載の身体ストラップ。
【請求項５】
前記取設部分は、前記中央ストリップの延伸部を含む、請求項１に記載の身体ストラップ。
【請求項６】
前記取設部分は、前記中央ストリップ上の中央ストリップ接続デバイスに接続するように適合される取設部分接続デバイスを含む、請求項１に記載の身体ストラップ。
【請求項７】
前記取設部分は、前記取設点への取設のための固設デバイスを含む、請求項６に記載の身体ストラップ。
【請求項８】
前記固設デバイスは、閉鎖されたドアを巻包するように構成される、フック、クランプ、ループ、またはドアループを含む、請求項７に記載の身体ストラップ。
【請求項９】
前記中央ストリップは、前記固定具点から延伸する第１の長さと、該第１の長さと反対側に前記固定具点から延伸する該第１の長さよりも長い第２の長さとを含み、前記中央ストリップは、該第１および第２の長さの各々の端部上で接続デバイスを有する、請求項１に記載の身体ストラップ。
【請求項１０】
前記第１および第２のループの各々の上に発泡パッドをさらに備え、該発泡パッドは、前記ループと前記ユーザの身体との間にクッションを提供するように構成される、請求項１に記載の身体ストラップ。
【請求項１１】
前記材料は、ナイロン、綿、帆布、ゴム、またはプラスチックを含む、請求項１に記載の身体ストラップ。
【請求項１２】
疼痛を治療するための方法であって、
第１の身体部分の周囲で、身体ストラップのハーネス部分上の第１のループをぴったりと包囲するステップと、
第２の身体部分の周囲で、該身体ストラップのハーネス部分上の第２のループをぴったりと包囲するステップと、
該身体ストラップ上の取設部分を、静止物体に固着するステップと、
該第１および第２の身体部分の周囲で角運動を生成するように、該取設部分で張力を生じさせるステップと
を含む、方法。
【請求項１３】
長さ調整器を引張することによって、前記第１および／または第２のループを締着するステップを含む、請求項１２に記載の方法。
【請求項１４】
前記第１のループをぴったりと包囲するステップは、前記ユーザの脚の一方の周囲で該第１のループを包囲するステップを含み、
前記第２のループをぴったりと包囲させるステップは、該ユーザの脚の他方の周囲で該第２のループを包囲するステップを含む、請求項１２に記載の方法。
【請求項１５】
前記第１のループをぴったりと包囲するステップは、前記ユーザの肩の一方の周囲で該第１のループを包囲するステップを含み、
前記第２のループをぴったりと包囲するステップは、該ユーザの肩の他方の周囲で該第２のループを包囲するステップを含む、請求項１２に記載の方法。
【発明の詳細な説明】
【技術分野】
【０００１】
本発明は、治療運動を可能にするストラップに関し、より具体的には、選択された身体部分の伸張を可能にするように構成される、治療用身体ストラップに関する。
【背景技術】
【０００２】
上部および下部背痛は、無数の個人の生活において、何らかの点で彼らを苦しめる。疼痛は、衰弱させるものとなる可能性があり、緩和は得難い。良い時には、多くの背痛に悩む者は、背痛の事例を低減することを求めて、時間と金銭を運動に費やす。ヨガ、ピラティス、ならびに身体中心部（腹部および下背部）の伸張および強化の両方を行う運動のためのシステムは、全て、背痛を有する可能性を低減するのに役立つ。
【０００３】
運動は、長期の利益を提供し、背痛の発生を低減するのに役立つ。しかしながら、背痛の一部の原因については、運動は、十分な緩和を提供しない場合がある。例えば、坐骨神経痛は、脊椎の基底部にある坐骨神経を包囲する、筋肉、骨、および靱帯に影響を及ぼす背痛の一形態である。典型的に、疼痛は、ほとんどの運動による影響が及ばないままである領域における、筋肉の硬直または筋肉の不均衡によって引き起こされる。
【０００４】
ストラップもしくはバンド、または他のタイプの運動補助デバイスといった、装置は、多くの運動の有効性を向上することができる。例えば、ストラップはしばしば、伸張を深めるように、ヨガで使用される。そのようなストラップは、典型的に、ハムストリング筋、もしくは大腿四頭筋、または脊柱起立筋、および／もしくは実質的に直線状に屈曲および収縮する他の筋肉を伸張させる際の補助に最も有効である。背痛の多くの事例は、直線的に動かない筋肉または他の身体部分の問題の結果である。むしろ、そのような筋肉および／または他の身体部分は、角運動の一部であり得る。例えば、坐骨神経痛は、その基部が骨盤に結合している領域を包囲する、筋肉および靱帯における硬直と関連付けられ得る。これらの筋肉、靱帯、および／または腱は、実質的に脊柱に垂直である平面上で、ほぼ角度的に屈曲および延伸する。これらの筋肉、靱帯、および／または腱は、運動によっては容易に伸張または強化されない場合がある。
【０００５】
効果的に伸張および／または運動することが困難である、筋肉および他の身体部分の運動を許容する、運動装置の必要性が存在する。
【発明の概要】
【課題を解決するための手段】
【０００６】
上記を鑑みて、第１のループおよび第２のループを伴い、各ループが材料のストリップでできている、ストラップが提供される。中央ストリップは、第１および第２のループが、固定具点で、中央ストリップに接続するように、固定具点を有する。ストラップはさらに、静止物体上の取設点への取設のために、中央ストリップから延伸する、取設部分を含む。第１および第２のループは、取設部分において張力を生じさせることによって、ユーザが伸張することを可能にするように、ユーザの身体部分をぴったりと包囲するように構成される。
【０００７】
本発明の種々の利点、態様、および新規特徴、ならびにその例示される実施形態の詳細は、以下の説明および図面からより完全に理解されるであろう。
【０００８】
本発明の他のシステム、方法、および特徴は、以下の図面および発明を実施するための形態の考察により、当業者には明白であるか、または明白となるであろう。全てのそのような追加のシステム、方法、特徴、および利点は、本説明内、本発明の範囲内に含まれ、かつ添付の特許請求の範囲によって保護されることが意図される。
【０００９】
以下の本発明の実施例の説明は、以下の図面を参照すると、より理解することができる。図面中の構成要素は、必ずしも原寸に比例しておらず、代わりに、本発明の原理の例示を強調している。図面中、同様の参照番号は、異なる図を通じて、対応する部分を指定する。
【図面の簡単な説明】
【００１０】
【図１】図１は、治療用ストラップの実施例の上面図である。
【図２】図２は、図１中の治療用ストラップのハーネス部分の上面図である。
【図３】図３は、図２のハーネス部分の拡大図である。
【図４】図４は、治療用ストラップの使用を例示する概略図である。
【図５Ａ】図５Ａ〜５Ｄは、治療用ストラップの異なる使用を描写する。
【図５Ｂ】図５Ａ〜５Ｄは、治療用ストラップの異なる使用を描写する。
【図５Ｃ】図５Ａ〜５Ｄは、治療用ストラップの異なる使用を描写する。
【図５Ｄ】図５Ａ〜５Ｄは、治療用ストラップの異なる使用を描写する。
【発明を実施するための形態】
【００１１】
実施例の実装の以下の説明において、その一部分を形成し、かつ例示として本発明の実施例の実装を示す、添付の図面を参照する。他の実施例が利用されてもよく、本発明の範囲から逸脱することなく、構造的変更が行われてもよい。
【００１２】
図１は、治療用ストラップ１００の実施例の上面図である。治療用ストラップ１００は、ハーネス部分１０２と、取設部分１０４とを含む。ハーネス部分１０２は、第１のループ１０６ａと、第２のループ１１０ｂとを含む。身体ストラップ１００の実施例の使用において、第１のループ１０６ａは、例えば、左脚といった、ユーザの脚の周囲で巻包するように使用されてもよい。第２のループ１０６ｂは、例えば、右脚といった、ユーザの他の脚の周囲で巻包するように使用されてもよい。ループ１０６ａ、ｂはまた、腕といった、他の身体部分の周囲で巻包するように使用されてもよい。２つの端部３０６ａおよび３０６ｂはまた、骨盤または胴の周囲に配置されてもよい、より大きなループを形成するように接続されてもよい。次いで、ユーザは、横腹の伸張を実施するように、ユーザの横腹を取設点に向かって、または、図５Ｃを参照して下に説明されるように、後屈を実施するように、取設点に面して立ってもよい。
【００１３】
第１および第２のループ１０６ａ、ｂは各々、ユーザがループ１０６ａ、ｂのサイズを調整することを可能とするように、長さ調整器１０８ａ、ｂを含んでもよい。使用中、長さ調整器１０６ａ、ｂは、ユーザの身体部分、例えば、ユーザの脚の周囲で、ループ１０６ａ、ｂの硬直を調整する。長さ調整器１０８ａ、ｂは、各ループ１０６ａ、ｂ上の余分なストラップの長さ１１０ａ、１１０ｂを引張することによって使用されてもよい。各ループ１０６ａ、ｂはまた、第１および第２の接続デバイス１１２ａ、ｂを含んでもよい。第１の接続デバイス１１２ａは、第１の接続デバイス１１２ａで、ループ１０６ａの１つの延伸部を、ループ１０６ａの別の延伸部と接続することによって、第１のループ１０６ａを形成することを可能にする。同様に、ユーザは、第２の接続デバイス１１２ｂで、第２のループ１０６ｂの一部分を、第２のループ１０６ｂの別の部分と接続することによって、第２のループ１０６ｂを形成してもよい。
【００１４】
第１および第２のループ１０６ａ、ｂは、ループ取設領域１１４で、中央ストリップ１１６に取設されてもよい。第１および第２のループ１０６ａ、ｂは、ループ取設領域１１４の反対側から延伸してもよい。中央ストリップ１１６は、ループ取設領域１１４の両側から延伸してもよい。ループ取設領域１１４の片側は、第３の接続デバイス１２４に延伸および取設してもよい。第３の接続デバイス１２４は、取設部分１０４をハーネス部分１０２に取設するように使用されてもよい。加えて、図１中の身体ストラップ１００は、選択された運動を補助するように、ユーザが加重することができるコネクタ、または何らかの種類のハンドルおよび／もしくはテザーを有する、ループ取設領域１１４からの第２の延伸部１３０を示す。取設部分１０４は、長さまたは張力調整器１２２、および固設デバイス１２０を含んでもよい。
【００１５】
ループ１０６ａ、ｂ、中央ストリップ１３０、および取設部分１０４は、ナイロン、綿、帆布、ゴム、プラスチック、または任意の他の好適な材料でできていてもよい。材料は、何らかの他の手段によって、鋳造または形成されるタイプの材料であってもよい。材料は、使用中に、ストリップ材料が、少なくとも多少は伸張することを可能にするように、最小限の弾力性を伴って作製されてもよい。材料は、意図される利益を提供するように、取設部分１０４に十分な緊張を提供するのに過度に弾力性があってはならない。第１の接続デバイス１１２ａ、第２の接続デバイス１１２ｂ、および第３の接続デバイス１２４は、１つのストリップの端部をストリップの別の端部に接続するために、バックル、スナップ、クリップ、または任意の他のデバイスを伴って実装されてもよい。長さ調整器１０８ａ、ｂ、１２２は、ストリップがループされてもよく、ループ１０６ａ、ｂの張力を維持する、接続デバイス１１２ａ、ｂ上のループ構成要素として実装されてもよい。
【００１６】
身体ストラップ１００の一実施例の使用において、ユーザは、ユーザの左脚の周囲に第１のループ１０６ａを巻包するように、第１の接続デバイス１１２ａを留めてもよい。ユーザは、ユーザの右脚の周囲に第２のループ１０６ｂを巻包するように、第２の接続デバイス１１２ｂを留めてもよい。次いで、ユーザは、各脚の周囲にループ１０６ａ、ｂを締着するように、各ループ１０６ａ、ｂ上の余分なストラップの長さ１１０ａ、ｂを引張してもよい。次いで、ユーザは、第３の接続デバイス１２４で、それらのそれぞれの端部を結合させることによって、取設部分１０４をハーネス部分１０２に取設してもよい。取設部分１０４は、比較的不動であり、ユーザの体重の引張力を支持することが可能である、例えば、ドアノブ、フェンス支柱、木、柵、階段の手すり、手すり、または何らかの他の好都合な物体といった、静止した、かつ安定した物体に固設される。取設部分１０４は、安定した物体（例えば、アイボルト、ドア、標識、もしくは木）上の取設点に、固設デバイス１２０を使用して、取設部分１０４の端部をフックする、または結束することによって、固着されてもよい。
【００１７】
別の実施例において、取設部分１０４は、ドア全体の周囲に水平に巻包されてもよい、２つの端部を有するストラップ材料を含んでもよい。取設部分１０４は、ループがドアの閉鎖方向に延伸するように、ドアの周囲に巻包されてもよい。使用中、取設部分は、ドア枠によって支持される、閉鎖されたドアに対して引張する。
【００１８】
取設部分１０４は、図１において、静止した、かつ安定した物体への取設のために、中央ストリップ１１６に接続する、別個の長さのストリップであるとして示されている。しかしながら、取設部分１０４はまた、静止した、かつ安定した物体に取設するように適合される、中央ストリップ１１６の延伸部であってもよい。
【００１９】
一度身体ストラップ１００が固着されると、ユーザは、取設部分１０４が、取設から適切に離間した時にぴんと張り、取設点上で引張力を提供するまで、取設点から遠くへ歩いてもよい。引張力が発生する時、身体ストラップの治療効果が作用し出し得る。
【００２０】
ユーザは、治療効果を変化させるために、この力を調整してもよい。例えば、ユーザは、椅子座面または椅子の背もたれを把持し、体重に抵抗する、および／または椅子に体重をかけてもよい。ユーザはまた、遠心性収縮を生じさせるように、他の筋肉を標的化または使用してもよい。取設点に対する抵抗を増加させることによって力を増加させることは、治療効果を強化する。ユーザはまた、ユーザの膝といった、異なる位置にあってもよい。ユーザは、（屈曲もしくは延伸を生じさせるように）前方もしくは後方に曲げてもよく、ならびに／または、他の筋肉を伸張するように、およびさらに標的化された身体部分（複数を含む）の伸張を強化するように、横方向に曲げてもよい。ユーザはまた、脚、首、肩、腕、背、膝、および足を含むが、これらに限定されない、異なる身体部分の周囲にループを巡らせてもよい。
【００２１】
図２は、実施例の治療用ストラップのハーネス部分２００の上面図である。ハーネス部分２００は、第１および第２のループ２０２ａ、ｂを含む。第１のループ２０２ａは、第１のループ長２０４ａの端部にある第１のバックル部材２０６ａを、第２のループ長２１２ａの端部にある第２のバックル部材２０８ａに嵌合させることによって、第１のループ長２０４ａを第２のループ長２１２ａに接続することによって形成される。第２のループ２０２ｂは、第３のループ長２０４ｂの端部にある第３のバックル部材２０６ｂを、第４のループ長２１２ｂの端部にある第４のバックル部材２０８ｂに嵌合させることによって、第３のループ長２０４ｂを第４のループ長２１２ａに接続することによって形成される。第１および第２のループ２０２ａ、ｂの閉鎖は、図２に示されるように、それぞれ２０２ａ’および２０２ｂ’で示されるように達成することができる。第１および第３のループ長２０４ａ、ｂは、固定具点２２２で中央ストリップ２２０に固設される。第２および第４のループ長２１２ａ、ｂもまた、固定具点２２２で中央ストリップ２２０に固設される。
【００２２】
中央ストリップ２２０はまた、中央ストリップ２２０の各端部に、バックル部材２２４、２２６を含む。ハーネス部分２００はまた、第１のループ２０２ａの第１のループ長２０４ａに第１の発泡パッド２３０ａ、および第２のループ２０２ｂの第３のループ長２０４ｂに第２の発泡パッド２３０ｂを含む。発泡パッド２３０ａ、ｂは、ループ２０２ａ、ｂがユーザの身体に締着される時に生じる可能性がある不快感を低減するように、ハーネス部分２００上で使用されてもよい。
【００２３】
図３は、図２のハーネス部分の拡大図である。図３は、ハーネス部分２００の実施例の実装を例示する。第１および第３のループ長２０４ａ、ｂは、固定具点２２２で中央ストリップ２２０に取設される、好適な材料の単一のストリップとして実装されてもよい。中央ストリップ２２０は、バックル２２４、２２６が反対の端部で取設された状態の、好適な材料の単一のストリップであってもよい。第２および第４のループ長２１２ａ、ｂもまた、固定具点２２２で中央ストリップ２２０に取設される、好適な材料の単一の長さのストリップとして実装されてもよい。固定具点２２２は、リベットであってもよい。図４に示される３つの材料のストリップはまた、安定した取設を確実とするように、固定具点２２２の周囲で互いに縫着されてもよい。
【００２４】
第１のバックル２２４まで延伸する中央ストリップ２２０の部分は、第２のバックル２２６まで延伸する中央ストリップ２２０の部分よりも短いことに留意されたい。長さの相違は、取設部分１０４（図１）が接続されてもよい、バックル２２４、２２６の選択肢を提供する。バックルは、ユーザが標的身体部分を伸張することができる、強度のレベルの選択肢を提供する。例えば、取設部分１０４が、中央ストリップ２２０のより短い部分に取設される第１のバックル２２４に取設された状態の、図１を参照して上で説明されるように、ユーザがループを各脚の周囲に配置する場合、ユーザは、ユーザが取設部分１０４を第２のバックル２２６に取設した場合よりも、強力な伸張を取得するであろう。
【００２５】
図４は、治療用ストラップの使用を例示する概略図である。図４は、ユーザの左脚４２０ａの周囲でぴったりと巻包される第１のループ４０４ａ、およびユーザの右脚４２０ｂの周囲でぴったりと巻包される第２のループ４０４ｂを示す。接続デバイスおよび調整デバイスは、説明の目的上、図示されていない。ユーザがユーザ運動として示される方向に、前方へ移動する間、取設部分４０６は、ストラップ張力によって示される方向に引張される。ストラップ張力と組み合わされたユーザの運動は、第１および第２のループ４０４ａ、ｂで、角運動を生じる。左脚４２０ａの周囲にある第１のループ４０４ａは、時計回りの角運動で移動する。右脚４２０ｂの周囲にある第２のループ４０４ｂは、反時計回りの角運動で移動する。ループ４０４ａ、ｂによる角運動は、骨盤領域および脚を伸張するように、左脚および右脚４２０ａ、ｂを内側に回転させる。
【００２６】
ユーザは、取設部分に張力を生じさせるように、取設点から慎重に離して移動させることによって、領域を伸張してもよい。ユーザは、ウエストで曲げることによって、またはヨガの「下を向く犬」のポーズに類似する四つんばい位置といった、選択された位置、もしくはポーズになることによって、伸張を強化し、他の筋肉をこの伸張に含めてもよい。取設部分が緊張している間に、ユーザの位置を変化させることによって、ユーザは、他の手段によっては伸張するのが困難である身体の部分を含む、異なる筋肉群を伸張することができる。図４に示されるような治療用ストラップの使用は、ユーザが、ユーザの内転筋、腰筋、腸骨筋、大臀筋、ならびに梨状筋、大腿方形筋、および股関節の他のより小さい外部回旋筋を含み得る筋肉群を伸張することを可能にすることができる。生じる角運動もまた、大腿筋膜張筋および腸脛靱帯に対処する。
【００２７】
図４を参照して上で説明されるような治療用身体ストラップの使用は、以下のとおり、ユーザの種々の身体部分に利益をもたらし得る。
【００２８】
１．脚：ユーザの股関節回旋筋が硬直している時、脚および足は、外側に変向する（外転）傾向があり、疼痛および緊張を引き起こす可能性がある。股関節回旋筋の緊張はまた、種々の形態の神経衝突を引き起こす可能性もある。膝の靱帯および腱は、過剰伸張され、膝および足が、重篤である可能性がある偶発的な疼痛、ならびに全体的な弱化を経験する原因となる。治療用身体ストラップは、仙骨のうなずき運動（仙骨の回転）を低減することを助長することによって、および股関節窩の大腿骨の頭部によって引き起こされる可能性がある、２つの股関節への不必要な圧力を軽減することによって、ユーザの骨盤、仙骨、脚、膝、および足を再整合するように使用されてもよい。身体ストラップはまた、会陰および坐骨神経侵害を低減するように作用する。治療用身体ストラップはまた、半膜様および半腱様筋肉、ならびに大腿二頭筋および縫工筋筋肉と協働することができる。身体ストラップはまた、脚の筋肉の緊張亢進および緊張低下を均衡化するように作用することができる。
【００２９】
２．股関節および下背部：身体ストラップは、内転筋に等尺性作用を生じ、これは、内転筋を均衡化することによって、股関節を整復するのに役立ち得る。このため、股関節の内部回転は、下背部の重篤な疼痛を引き起こし、下半身への血流を制限する可能性がある、他の硬直した股関節、または硬直した外部回旋筋に対する平衡力として促進される。身体ストラップは、硬直した筋肉（ハムストリング筋）を弛緩すること、およびより弱った筋肉（腹筋）を増強することによって、ユーザが、より中立的な脊椎を維持することを可能にする。これらの筋肉および腱の全ての解放は、仙骨神経を侵害し、強烈な疼痛および重篤な運動の制限を引き起こす可能性がある、仙骨のうなずき運動を軽減する。
【００３０】
３．胴および中背部：筋肉の不均衡は、多様な形で脊椎に影響を及ぼす。例えば、弱った腹筋は、脊椎が陥没または崩壊する原因となる。次いで、股関節屈筋が弱化し、下背部により顕著な湾曲（脊柱前弯症）を引き起こす可能性があり、硬直したハムストリング筋もまた、骨盤を後方に回転させ、（脊柱後弯症）前かがみを引き起こす可能性がある。
【００３１】
治療用身体ストラップは、種々の身体部分に緩和をもたらすように、多様な方法で使用されてもよい。治療用身体ストラップは、身体の各部分が運動されている時、神経筋軸全体を活性化させることによって作用する。身体ストラップは、身体中の感覚および運動フィードバックループを再教育し、筋紡錘（延長）およびゴルジ腱紡錘（張力）系を介して、筋肉の不均衡に作用するのに役立つ。身体ストラップは、ユーザが、抵抗および静止筋肉状態の両方を含む、多くの異なる筋肉の張力付加パターンを保持することを可能にする。
【００３２】
図５Ａ〜５Ｄは、上で説明される治療用身体ストラップ１００（図１）が、運動および／または異なる身体部分を伸張させるために使用されてもよい方法を例示する。図５Ａは、図１および４を参照して上で説明される様態で、治療用身体ストラップ５０２を着用するユーザ５００を示す。身体ストラップ５０２は、ユーザの脚の高い位置にある状態で示されているが、しかしながら、ユーザは、身体ストラップ５０２をユーザの脚の高い位置または低い位置に配置することによって、伸張される筋肉、および伸張される筋肉群を変化させてもよい。
【００３３】
図５Ｂは、前屈位置で、図５Ａに示されるように、治療用身体ストラップ５０２を身に着けたユーザを示す。ウエストで前屈することによって、ユーザは、大臀筋、ハムストリング筋、および他の筋肉における伸張を増強する。身体ストラップによって引き起こされる角運動によって伸張される筋肉とともに、これらの筋肉の同時伸張は、ユーザに、多様な筋肉を伴うより同期された伸張を提供する。
【００３４】
図５Ｃは、単一の大きなループを形成するように構成される治療用身体ストラップ５２０を身に着けたユーザを示す。ユーザは、大きなループをユーザのウエストの周囲に締着し、取設点に面している。ユーザは、ストラップに緊張を生じさせるように後方に歩行し、伸張するように後方に傾く。ユーザはまた、取設点がユーザ側となるように、身体ストラップ５２０を変向してもよい。次いで、ユーザは、他の筋肉の中でも斜筋を伸張するように、横向きに屈曲してもよい。
【００３５】
図５Ｄは、ループが肩の周囲にある状態で、治療用身体ストラップ５４０を着用するユーザを示す。このため、ユーザは、上部身体の筋肉を伸張するように、身体ストラップ５４０をしてもよい。例えば、首の筋肉は、伸筋および屈筋である。主要な筋肉は、頸椎上の頭部を屈曲および延伸し、頸部筋肉は、首を屈曲し、その湾曲を変える。首筋肉受容体は、身体の姿勢および移動運動にも影響を及ぼす。首筋肉が緊張し、不適切に均衡が取れている時、神経は刺激され、身体は、その自然の運動感覚意識、したがって、その自由に移動する能力を喪失する。身体ストラップは、頭部、首、および肩の筋肉および腱を訓練し、より自然に弛緩および解放することを可能にする。他の肉体運動が付随する時、身体ストラップは、上胴をより均衡が取れた、正常緊張状態に修復するのに役立ち得る。
【００３６】
前述の実装の説明は、例示および説明の目的で提示されている。これは、網羅的ではなく、かつ特許請求される発明を開示される厳密な形態に制限しない。修正および改変は、上の説明を踏まえた上で可能であるか、または本発明を実践することから取得され得る。例えば、説明される実装は、ソフトウェアを含むが、本発明は、ハードウェアおよびソフトウェアの組み合わせ、またはハードウェア単独で実施されてもよい。実装は、システム間で変化し得ることにも留意されたい。特許請求の範囲およびそれらの同等のものが、本発明の範囲を定義する。
【図１】
2012525938.tif 000003
【図２】
2012525938.tif 000004
【図３】
2012525938.tif 000005
【図４】
2012525938.tif 000006
【図５Ａ】
2012525938.tif 000007
【図５Ｂ】
2012525938.tif 000008
【図５Ｃ】
2012525938.tif 000009
【図５Ｄ】
2012525938.tif 000010
【国際調査報告】
2012525938.tif 000011
2012525938.tif 000012